(57)【要約】【課題】ＥＴＣサービスおよびＤＳＲＣ応用サービスの両方の外部端末連係機能を単一の外部インタフェースで実現することのできる移動局装置および外部端末を得る。【解決手段】本発明の移動局装置１は、道路上に設置されたＤＳＲＣ基地局装置４およびＥＴＣ基地局装置３とデータの送受信を行う無線通信制御部１−１と、データからＤＳＲＣ連携データを作成するＤＳＲＣ外部インタフェース通信制御部１−５と、ＤＳＲＣ連携データにエスケープ処理を実施するとともにＤＳＲＣ外部ＩＦ識別子を付与することによってＥＴＣ連携データを作成し、ＤＳＲＣ外部ＩＦ識別子が付与されたＥＴＣ連携データをエスケープ復号処理することによってＤＳＲＣ連携データを作成し、外部端末２との間でＥＴＣ連携データを送受信するＥＴＣ外部インタフェース部１−４とを備え、移動局に搭載されるものである。【選択図】図１
2010252235.tif 000002
【特許請求の範囲】
【請求項１】
道路上に設置されたＤＳＲＣ基地局装置およびＥＴＣ基地局装置とデータの送受信を行う無線通信制御部と、
前記データからＤＳＲＣ連携データを作成するＤＳＲＣ外部インタフェース通信制御部と、
前記ＤＳＲＣ連携データにエスケープ処理を実施するとともにＤＳＲＣ外部ＩＦ識別子を付与することによってＥＴＣ連携データを作成し、前記ＤＳＲＣ外部ＩＦ識別子が付与されたＥＴＣ連携データをエスケープ復号処理することによってＤＳＲＣ連携データを作成し、外部端末との間で前記ＥＴＣ連携データを送受信するＥＴＣ外部インタフェース部とを備え、移動局に搭載されることを特徴とする移動局装置。
【請求項２】
ＥＴＣ外部インタフェース部で実施するエスケープ処理は、ＤＳＲＣ連携データにＥＴＣ外部インタフェース部間で使用するＥＴＣプロトコルで特別な意味を持つＥＴＣコマンドが含まれる場合に、ＥＴＣコマンドをＥＴＣプロトコルで特別な意味を持たない非ＥＴＣコマンドに変換することを特徴とする請求項１に記載の移動局装置。
【請求項３】
ＥＴＣ外部インタフェース部で実施するエスケープ処理は、ＤＳＲＣ連携データにＥＴＣコマンドが含まれる場合に、ＥＴＣコマンドをエスケープ記号が含まれる非ＥＴＣコマンドに変換することを特徴とする請求項２に記載の移動局装置。
【請求項４】
ＤＳＲＣ連係データを作成するＤＳＲＣ外部インタフェース通信制御部と、
前記ＤＳＲＣ連携データにエスケープ処理を実施するとともにＤＳＲＣ外部ＩＦ識別子を付与することによってＥＴＣ連携データを作成し、前記ＤＳＲＣ外部ＩＦ識別子が付与されたＥＴＣ連携データをエスケープ復号処理することによってＤＳＲＣ連携データを作成し、移動局に搭載される移動局装置とＥＴＣ連係データの送受信を行うことを特徴とする外部端末。
【請求項５】
ＥＴＣ外部インタフェース部で実施するエスケープ処理は、ＤＳＲＣ連携データにＥＴＣ外部インタフェース部間で使用するＥＴＣプロトコルで特別な意味を持つＥＴＣコマンドが含まれる場合に、ＥＴＣコマンドをＥＴＣプロトコルで特別な意味を持たない非ＥＴＣコマンドに変換することを特徴とする請求項４に記載の外部端末。
【請求項６】
ＥＴＣ外部インタフェース部で実施するエスケープ処理は、ＤＳＲＣ連携データにＥＴＣコマンドが含まれる場合に、ＥＴＣコマンドをエスケープ記号が含まれる非ＥＴＣコマンドに変換することを特徴とする請求項５に記載の外部端末。
【発明の詳細な説明】
【技術分野】
【０００１】
この発明は、車両などの移動局に搭載され、道路上に設置された基地局から提供される応用サービスを路車間通信を用いて享受する移動局装置および外部端末に関するものである。
【背景技術】
【０００２】
移動局に搭載され、道路上に設置された基地局装置との間で通信を行う路車間通信装置としては、社団法人  電子情報技術産業協会にて定められた規格「ＪＥＩＴＡ  ＩＴ−６００１Ａ  ＩＴＳ車載器標準仕様」で規定される車載システムが知られている。この規格では、移動局装置は、ＥＴＣ（Ｅｌｅｃｔｒｉｃ  Ｔｏｌｌ  Ｃｏｌｌｅｃｔｉｏｎ  Ｓｙｓｔｅｍ）サービスおよびＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域無線通信）応用サービスの両サービスに対応すると共に、外部端末（カーナビゲーション装置）連携プロトコルを設けることで、ＤＳＲＣ応用サービスのヒューマンマシンインタフェースを外部端末によって拡張することを可能としている。
【０００３】
しかしながら、上記規格では、移動局装置と外部端末との間での機能の分担を実装依存とするため、外部端末連携プロトコルの内容については規定されていない。したがって、実際に移動局装置および外部端末を製作するに当たっては、移動局装置と外部端末との間の機能の分担を明確化し、両者間の通信プロトコルを規定する必要がある。また、上記規格では、ＥＴＣ機能に関するヒューマンマシンインタフェースについては、範囲外として規定されていない。
【０００４】
例えば、移動局装置と外部端末との間の通信プロトコルとして、基地局装置と移動局装置との間で用いられる通信プロトコルと同一の通信プロトコルを用いる技術が開示されている（例えば、特許文献１参照）。特許文献１に記載されている移動局装置では、移動局装置上のアプリケーションが基地局装置上のアプリケーションからコマンドやデータを受信し、基地局装置上のアプリケーションが使用するものと同一の手順で外部端末に転送することで、従来、移動局装置単体では扱うことのできなかったサイズのデータや実行不可能な種類のコマンドやデータを外部端末上で実現することを可能としている。また、外部端末上のアプリケーションを、基地局装置上のアプリケーションと同一の仕様で実装することで、移動局装置上のアプリケーションを一切変更することなく、外部端末から移動局装置上のアプリケーションを利用することを可能としている。
【０００５】
また、ＥＴＣサービスのヒューマンマシンインタフェースを外部端末で拡張可能なＥＴＣ車載器（移動局装置）として、基地局装置との間で通信を行うための送受信部と、送受信部を制御するとともに基地局装置との間の通信データを処理する制御処理部と、任意に操作可能な外部機器と制御処理部とを接続するための外部インタフェースを備えたものが開示されている（例えば、特許文献２参照）。
【先行技術文献】
【特許文献】
【０００６】
【特許文献１】特開２００７−０６７８８６（第５頁、図１）
【特許文献２】特開２０００−１９４８９３（第２頁、図１）
【発明の概要】
【発明が解決しようとする課題】
【０００７】
しかしながら、特許文献１に記載された移動局装置および外部端末では、ＤＳＲＣ応用サービスを外部端末で拡張することはできるが、ＥＴＣサービスのヒューマンマシンインタフェースを外部端末で拡張することはできない。
また、特許文献２に記載された移動局装置は、ＥＴＣサービスに特化した機能であり、ＤＳＲＣ応用サービスの外部インタフェースとして利用することはできない。
このように特許文献１および特許文献２に記載された移動局装置及び外部端末は、ＥＴＣサービスまたはＤＳＲＣ応用サービスのいずれかに対応した移動局装置を外部端末で拡張する方式であることから、両方のサービスに対応した移動局装置を外部端末で拡張する場合には、物理的に異なる２つの外部インタフェースが必要となるという問題があった。
この発明は、上記のような問題点を解決するためになされたものであり、ＥＴＣサービスおよびＤＳＲＣ応用サービスの両方の外部端末連携機能を単一の外部インタフェースで実現することのできる移動局装置および外部端末を得ることを目的としている。
【課題を解決するための手段】
【０００８】
この発明による移動局装置は、道路上に設置されたＤＳＲＣ基地局装置およびＥＴＣ基地局装置とデータの送受信を行う無線通信制御部と、前記データからＤＳＲＣ連携データを作成するＤＳＲＣ外部インタフェース通信制御部と、前記ＤＳＲＣ連携データにエスケープ処理を実施するとともにＤＳＲＣ外部ＩＦ識別子を付与することによってＥＴＣ連携データを作成し、前記ＤＳＲＣ外部ＩＦ識別子が付与されたＥＴＣ連携データをエスケープ復号処理することによってＤＳＲＣ連携データを作成し、外部端末との間で前記ＥＴＣ連携データを送受信するＥＴＣ外部インタフェース部とを備え、移動局に搭載されるものである。
また、この発明による外部端末は、ＤＳＲＣ連携データを作成するＤＳＲＣ外部インタフェース通信制御部と、前記ＤＳＲＣ連携データにエスケープ処理を実施するとともにＤＳＲＣ外部ＩＦ識別子を付与することによってＥＴＣ連携データを作成し、前記ＤＳＲＣ外部ＩＦ識別子が付与されたＥＴＣ連携データをエスケープ復号処理することによってＤＳＲＣ連携データを作成し、移動局に搭載される移動局装置とＥＴＣ連携データの送受信を行うものである。
【発明の効果】
【０００９】
この発明の移動局装置および外部端末によれば、ＥＴＣサービスおよびＤＳＲＣ応用サービスの両方の外部端末連携機能を単一の外部インタフェースで実現することができる。
【図面の簡単な説明】
【００１０】
【図１】この発明の実施の形態１による狭域無線通信システムの構成を示すブロック図である。
【図２】この発明の実施の形態１による移動局装置と外部端末との間で送受信されるデータパケットの構成を示す図である。
【図３】この発明の実施の形態１による狭域無線通信システムにおける接続手順と配信データの送信手順を示すフローチャートである。
【図４】この発明の実施の形態１による狭域無線通信システムにおける初期接続手順および配信データの送信手順で用いられるプリミティブの図である。
【発明を実施するための形態】
【００１１】
実施の形態１．
図１は、本発明の実施の形態１による狭域無線通信システムの構成を示すブロック図である。図において、同一の符号を付したものは、同一またはこれに相当するものであり、このことは、明細書の全文において共通することである。
【００１２】
図１に示す狭域無線通信システムは、路側に設けられるＤＳＲＣ基地局装置４およびＥＴＣ基地局装置３と車両などの移動局に設けられる移動局装置１および外部端末２とを備えている。ＥＴＣ基地局装置３およびＤＳＲＣ基地局装置４と移動局装置１とは、それぞれの無線通信制御部１−１，３−１，４−１を介してＥＴＣサービスとＤＳＲＣ応用サービスで共通の無線通信を行い、データを送受信する。また、移動局装置１とＥＴＣ基地局装置３とは、それぞれの無線通信制御部１−１，３−１を介して行う無線通信において、両者の間で実施するＥＴＣサービスに関わるデータ処理などを行うＥＴＣ制御処理部１−２、３−２をそれぞれ備えている。
【００１３】
また、移動局装置１とＤＳＲＣ基地局装置４とは、それぞれの無線通信制御部１−１，４−１を介して行う無線通信において、各種ＤＳＲＣ応用サービスに関わるデータ処理および通信処理を行うＤＳＲＣ制御処理部１−３、４−３をそれぞれ備えている。ＤＳＲＣ制御処理部１−３、４−３は、複数のアプリケーション間の通信を行う非ネットワーク（以下、非Ｎ／Ｗ）系通信制御部とプッシュ型情報配信などを行う非Ｎ／Ｗ系アプリケーション処理部とをそれぞれ有している。ＤＳＲＣ制御処理部１−３、４−３の非Ｎ／Ｗ系通信制御部同士の間の通信プロトコルとしては、標準規格ＡＲＩＢ  ＳＴＤ−Ｔ８８に記載のＬＰＣＰ（Ｌｏｃａｌ  Ｐｏｒｔ  Ｃｏｎｔｒｏｌ  Ｐｒｏｔｏｃｏｌ）およびＬＰＰ（Ｌｏｃａｌ  Ｐｏｒｔ  Ｐｒｏｔｏｃｏｌ）が用いられ、非Ｎ／Ｗ系アプリケーション処理部同士の間の通信プロトコルとしては、ＩＴＳ  Ｆｏｒｕｍ ＲＣ−００５に記載の基本アプリケーションインタフェースが用いられる。また、移動局装置１およびＤＳＲＣ基地局装置４のＤＳＲＣ制御処理部１−３、４−３は、ＤＳＲＣ応用サービスに関わるデータ処理を行う少なくとも１つ以上のアプリケーションを備え、図１に示す移動局装置１の非Ｎ／Ｗ系アプリケーション処理部は、ＤＳＲＣ基地局装置４から配信されるプッシュコンテンツ（データ）の受信処理を行うＰＵＳＨ受信アプリ１−３−２とＤＳＲＣ基地局装置４から移動局装置１上のメモリに対する読出／書込処理を行うメモリ読出／書込アプリ１−３−３とを有している。
【００１４】
移動局装置１の無線通信制御部１−１は、データに付与されているアプリケーション識別子であるＡＩＤによって、ＥＴＣサービスに関わるデータかＤＳＲＣ応用サービスに関わるデータかを識別する。移動局装置１の無線通信制御部１−１は、受信したデータのＡＩＤがＥＴＣに関するものの場合には、ＥＴＣ制御処理部１−２にデータを送信し、受信したデータのＡＩＤがＤＳＲＣに関するものの場合には、ＤＳＲＣ制御処理部１−３にデータを送信する。
【００１５】
移動局装置１と外部端末２とは、ＥＴＣサービスを外部端末で拡張するためのＥＴＣ外部インタフェース部（ＥＴＣ外部ＩＦ部）１−４，２−４をそれぞれ有し、移動局装置１と外部端末２とは、それぞれのＥＴＣ外部ＩＦ部１−４，２−４を介して接続される。移動局装置１および外部端末２のＥＴＣ外部ＩＦ部１−４，２−４は、ＲＳ２３２−Ｃ端子やＵＳＢなどの双方向通信が可能であって汎用的なインタフェースを使用して、移動局装置１と外部端末２との間の通信を行う。
【００１６】
また、移動局装置１と外部端末２とは、ＤＳＲＣ応用サービスを外部端末２で拡張するための機能であるＤＳＲＣ外部ＩＦ通信制御部１−５，２−５をそれぞれ有し、それぞれのＤＳＲＣ外部ＩＦ通信制御部１−５，２−５は、それぞれのＥＴＣ外部ＩＦ部１−４，２−４を使用して、相互に通信を行う。
【００１７】
具体的には、移動局装置１のＤＳＲＣ外部ＩＦ通信制御部１−５と外部端末２のＤＳＲＣ外部ＩＦ通信制御部２−５との間で規定される通信プロトコルで送受信されるＤＳＲＣ連携データを、移動局装置１のＥＴＣ外部ＩＦ部１−４と外部端末２のＥＴＣ外部ＩＦ通信制御部２−４との間で規定される通信プロトコルの特定のコマンドとして通信することにより実現する。
すなわち、移動局装置１のＤＳＲＣ外部ＩＦ通信制御部１−５と外部端末２のＤＳＲＣ外部ＩＦ通信制御部２−５との間で送受信されるＤＳＲＣ連携データには、ＥＴＣ外部ＩＦ部１−４，２−４で使用されるＥＴＣプロトコルにおいて、データの終端や初期化要求など特別な意味を持つコマンド（ＥＴＣコマンド）と同一の記号が含まれる場合がある。そのため、ＥＴＣ外部ＩＦ部１−４，２−４は、ＤＳＲＣ連携データの送信時にＥＴＣコマンドを所定のルールに従ってＥＴＣプロトコルにおいて特別な意味を持たないコマンド（非ＥＴＣコマンド）に変換するエスケープ処理と、受信時にエスケープ処理が施されたＥＴＣ連携データが存在する場合に、元のＤＳＲＣ連携データに復号するエスケープ復号処理を行うエスケープ処理部１−４−１，２−４−１をそれぞれ備えている。
【００１８】
この発明の実施の形態１に係る移動局装置１および外部端末２においては、移動局装置１のＤＳＲＣ外部ＩＦ通信制御部１−５と外部端末２のＤＳＲＣ外部ＩＦ通信制御部２−５との間を直接接続するのではなく、移動局装置１のＤＳＲＣ外部ＩＦ通信制御部１−５と外部端末２のＤＳＲＣ外部ＩＦ通信制御部２−５とをＥＴＣ外部ＩＦ部１−４，２−４を介して接続することによって、単一の物理インタフェースを用いて、ＤＳＲＣ応用サービスおよびＥＴＣサービスの両サービスに対応した外部連携機能を実現することができる。
【００１９】
図２は、この発明の実施の形態１による移動局装置と外部端末との間で送受信されるデータパケットの構成を示す図である。
図２に示すように、移動局装置１のＤＳＲＣ外部ＩＦ通信制御部１−５または外部端末２のＤＳＲＣ外部ＩＦ通信制御部２−５で生成されたＤＳＲＣ連携データ１０は、ＥＴＣ外部ＩＦ部１−４，２−４により前述したエスケープ処理が施された後、データ部１１１に格納され、ＥＴＣ外部ＩＦ部１−４，２−４が付与する所定の制御情報であるヘッダ１１２およびフッタ１１３を付与すると共に、制御情報内のデータ種別を表す識別子１１４にＤＳＲＣ外部ＩＦ通信制御部１−５，２−５間の情報であることを表すＤＳＲＣ外部ＩＦ識別子を指定しＥＴＣ連携データ１１となる。
ＤＳＲＣ連携データ１０は、移動局装置１および外部端末２のＤＳＲＣ外部ＩＦ通信制御部１−５，２−５間でやりとりされるプロトコルデータ単位（Ｐｒｏｔｏｃｏｌ  Ｄａｔａ  Ｕｎｉｔ：ＰＤＵ）であり、基地局装置３および移動局装置１の非Ｎ／Ｗ系通信制御部３−２，１−２間でやりとりされるＰＤＵと同一である。
【００２０】
次に、ＤＳＲＣ基地局装置４から送信されたＤＳＲＣ応用サービスの一つであるプッシュ型情報配信サービスのデータを移動局装置１から外部端末２に転送する場合の移動局装置１および外部端末２の各構成の動作について概説する。
図３は、この発明の実施の形態１による狭域無線通信システムにおける初期接続手順と配信データの送信手順を示すフローチャートである。また、図４は、この発明の実施の形態１による狭域無線通信システムにおいて配信データを送信する際に用いられるＩｎｖｏｋｅプリミティブの構成の例を示す図である。
【００２１】
図４において、ＬｉｎｋＡｄｄｒｅｓｓはＤＳＲＣのＬｉｎｋＩＤであるＬＩＤまたはＬＩＤと１対１でマッピング可能なＩＤを示し、ＳｏｕｒｃｅＰｏｒｔは送信元のアプリケーションのポート番号を示す。また、ＤｅｓｔｉｎａｔｉｏｎＰｏｒｔは送信先のアプリケーションのポート番号を示し、ＵｓｅｒＤａｔａＳｉｚｅは配信データのサイズ（オクテット単位）を示し、ＵｓｅｒＤａｔａは配信データ本体を示す。さらに、ＴｒａｎｓａｃｔｉｏｎＴｙｐｅはトランザクションサービスのタイプであって、０の場合はデータ送信トランザクションサービスであることを意味し、１の場合はリクエスト・レスポンス型トランザクションサービスであることを意味する。ＲｅｑｕｉｒｅＡｃｋは再送処理を有効にするかどうかのフラグであって、０の場合は再送処理が不要であることを意味し、１の場合は再送処理が必要であることを意味する。
【００２２】
ＲｅｓｕｌｔＴｉｍｅｏｕｔはリクエスト・レスポンス型トランザクションサービスにおいて、ＲｅｓｕｌｔＰＤＵが受信できない場合のタイムアウト時間である。Ｉｎｖｏｋｅ．Ｒｅｑプリミティブを発行後、ＲｅｓｕｌｔＴｉｍｅｏｕｔに示すタイムアウト時間までにＲｅｓｕｌｔＰＤＵを受信できない場合に、トランザクションは破棄される。Ｈａｎｄｌｅは、ローカルでトランザクションを区別するためのＩＤであって、Ｈａｎｄｌｅは、Ｉｎｖｏｋｅ．ｒｅｑの発行側では、トランザクションＩＤによってＨａｎｄｌｅとＳｏｕｒｃｅが一意に特定される。また、Ｈａｎｄｌｅは、Ｉｎｖｏｋｅ．ｒｅｓの発行側では、ＨａｎｄｌｅによってＬｉｎｋａｄｄｒｅｓｓ、ＳｏｕｒｃｅＰｏｒｔおよびトランザクションＩＤが一意に特定される。
図４において、それぞれのパラメータに示されているアルファベットは、Ｍが当該パラメータが必須であることを意味し、Ｏが任意であることを意味し、Ｃが送信されたプリミティブに指定されている場合は必要であり、送信されたプリミティブに指定されていない場合は不要であることを意味する。
なお、移動局装置１のアプリケーション１−３−２，１−３−３および外部端末２のアプリケーション２−６−１，２−６−２がＤＳＲＣ連携データ１０の送受信に使用するインタフェースは、路車間通信でＤＳＲＣ基地局装置４および移動局装置１が使用するインタフェースと必ずしも同一である必要はなく、移動局装置１および外部端末２のＤＳＲＣ外部ＩＦ通信制御部１−５、２−５が生成するＤＳＲＣ連携データ１０がＤＳＲＣ基地局装置４および移動局装置１の非Ｎ／Ｗ系通信制御部４−２，１−２間でやりとりされるＰＤＵと同一のフォーマットとなるのであれば、異なる構成となってもよい。
【００２３】
図３において、ステップＳＴ１で、移動局装置１のＥＴＣ外部ＩＦ部１−４および外部端末２のＥＴＣ外部ＩＦ部２−４は、電源を投入した際など移動局装置１と外部端末２とが接続されたタイミングで、接続処理と初期化処理とを行う。接続処理では、まず、外部端末２のＥＴＣ外部ＩＦ部２−４は、予め定められた自身のＩＤコードである機器コードを移動局装置１のＥＴＣ外部ＩＦ部１−４に送信する。次に、機器コードを受信した移動局装置１のＥＴＣ外部ＩＦ部１−４は、機器コードを用いて接続されている外部端末２を確認し、外部端末２のＥＴＣ外部ＩＦ部２−４に対して機器初期化コードを送信する。この機器初期化コードを受信した外部端末２のＥＴＣ外部ＩＦ部２−４は、機器初期化コードに応じた初期化処理を実行する。以上の処理によって、移動局装置１と外部端末２とは、互いに接続されたことを認知する。
【００２４】
その後、移動局装置１と外部端末２とを搭載した移動局が、プッシュ型情報配信サービスを提供するＤＳＲＣ基地局装置４の通信エリアに進入すると、ステップＳＴ２で、移動局装置１上のプッシュ受信アプリ１−３―２は、非Ｎ／Ｗ系通信制御部１−３−１の受信インタフェースを用いて、ＤＳＲＣ基地局装置４から送信される配信データを図４に示す「ｉｎｖｏｋｅ．ｉｎｄ」プリミティブによって受信する。
【００２５】
ステップＳＴ３で、プッシュ受信アプリ１−３−２は、「ｉｎｖｏｋｅ．ｒｅｑ」プリミティブによってＤＳＲＣ外部ＩＦ通信制御部１−５に外部端末２への配信データの転送を要求する。図４に示すように、プッシュ受信アプリ１−３−２は、受信したＩｎｖｏｋｅ．ｉｎｄにＩｎｖｏｋｅ．ｒｅｑを用いてＤＳＲＣ外部ＩＦ通信制御部１−５に送信する。次に、ステップＳＴ４で、ＤＳＲＣ外部ＩＦ通信制御部１−５は、受信した配信データを用いてＤＳＲＣ基地局装置３と移動局装置１の非Ｎ／Ｗ系通信制御部１−３−１との間でやりとりされるプロトコルデータ単位（Ｐｒｏｔｏｃｏｌ  Ｄａｔａ  Ｕｎｉｔ：ＰＤＵ）と同一のＰＤＵでＤＳＲＣ連携データを生成し、生成したＤＳＲＣ連携データをＥＴＣ外部ＩＦ部１−４へ出力する。
【００２６】
ステップＳＴ５で、ＥＴＣ外部ＩＦ部１−４のエスケープ処理部１−４−１は、ＤＳＲＣ連携データ１０に移動局装置１のＥＴＣ外部ＩＦ部１−４と外部端末２のＥＴＣ外部ＩＦ部２−４との間で使用する所定のプロトコルにおいて特別な意味を持つＥＴＣコマンドと同一の記号が含まれる場合に、当該ＥＴＣコマンドをエスケープ記号が含まれるように所定のルールに従って変換するエスケープ処理を実施する。例えば、ＥＴＣ外部ＩＦ部１−４のエスケープ処理部１−４−１は、ＥＴＣ外部ＩＦ部１−４，２−４間で使用するプロトコルで特別な意味を持つコマンドがＡの場合、データ中のコマンド「Ａ」をエスケープ記号である「Ｂ」を含むコマンド「ＢＣ」に変換する。また、データ中にエスケープ記号である「Ｂ」が含まれる場合、コマンド「Ｂ」をエスケープ記号である「Ｂ」を含むコマンド「ＢＤ」に変換する。すなわち、ＤＳＲＣ連携データ中のＤＳＲＣプロトコルで使用されるコマンドであって、ＥＴＣプロトコルで特別な意味を持つＥＴＣコマンドと同一のものをＥＴＣプロトコルで特別な意味を持たないコマンドに変換してＥＴＣ連携データ１１を作成する。
【００２７】
ステップＳＴ６で、ＳＴ４で変換したデータにＤＳＲＣ外部ＩＦ通信制御部１−５、２−５間のコマンドを表すＤＳＲＣ外部ＩＦ識別子を付与し、移動局装置１のＥＴＣ外部ＩＦ部１−４は、外部機器２のＥＴＣ外部ＩＦ部２−４にＥＴＣ連携データ１１を送信する。
ステップＳＴ７で、外部機器２のＥＴＣ外部ＩＦ部２−４が外部端末のＥＴＣ外部インタフェースはＳＴ６で送信されたＥＴＣ連携データ１１を受信すると、所定の通信制御処理を行ったのち、ＥＴＣ外部ＩＦ部２−４のエスケープ処理部２−４−１は、ＤＳＲＣ外部ＩＦ識別子によって受信したＥＴＣ連携データがＤＳＲＣ外部ＩＦ通信制御部１−５、２−５間のコマンドであることを認識し、受信したＥＴＣ連携データ１１にエスケープ記号（前述の例では「Ｂ」がエスケープ記号）が含まれる場合は、ＥＴＣ連携データ１１のエスケープ復号処理（前述の例では「ＢＣ」を「Ａ」に、「ＢＤ」を「Ｂ」に変換する処理）を行い、ＤＳＲＣ連携データ１０を作成する。
【００２８】
ステップＳＴ８で、ＥＴＣ外部ＩＦ部２−４は、復号されたＤＳＲＣ連携データ１０をＤＳＲＣ外部ＩＦ通信制御部２−５に送信する。次に、ステップＳＴ９で、ＤＳＲＣ外部ＩＦ通信制御部２−５は、送信されたＤＳＲＣ連携データをプッシュ受信アプリ２−６に転送し、ステップＳＴ１０で、外部端末２上のプッシュ受信アプリ２−６が、受信したＤＳＲＣ連携データ１０を実行（再生）する。
なお、この実施の形態１では、移動局装置１から外部端末２にデータを送信する場合の処理について記載したが、外部端末２から移動局装置１にデータを送信する場合も同様である。外部端末２から移動局装置１にデータを送信する場合は、外部端末２のＥＴＣ外部ＩＦ部２−４でエスケープ処理を実施し、移動局装置１のＥＴＣ外部ＩＦ部１−４でエスケープ復号処理を実施する。
【００２９】
このように、ＤＳＲＣ応用サービスのための外部インタフェースであるＤＳＲＣ外部ＩＦ通信制御部１−５，２−５が通信するＤＳＲＣ連携データをＥＴＣ外部ＩＦ部１−４，２−４間で使用するＥＴＣプロトコルにおいて特別な意味を持つＥＴＣコマンドが含まれる場合に、ＥＴＣプロトコルにおいて特別な意味を持たない非ＥＴＣコマンドとなるよう変換することによって、ＤＳＲＣ外部ＩＦ通信制御部１−５，２−５間の通信データをＥＴＣ外部ＩＦ部１−４，２−４を用いて送信することを可能とし、単一の物理インタフェースを用いて、ＥＴＣ／ＤＳＲＣの両サービスに対応した外部連携機能を実現することができる。
また、本発明の外部インタフェースを有する外部端末は、ＥＴＣ外部ＩＦ部のみを有するＥＴＣ車載器との接続も可能で、その場合には前記ＥＴＣ車載器の外部拡張端末として動作することができるという効果が得られる。
【符号の説明】
【００３０】
１  移動局装置、２  外部端末、３  ＥＴＣ基地局装置、４  ＤＳＲＣ基地局装置、１−１，３−１，４−１  無線通信制御部、１−２，３−２  ＥＴＣ制御処理部、１−３，４−３  ＤＳＲＣ制御処理部、１−３−１  非Ｎ／Ｗ系通信制御部、１−３−２，２−６−１  ＰＵＳＨ受信アプリ、１−３−３，２−６−２  メモリ読出／書込アプリ、１−４，２−４  ＥＴＣ外部ＩＦ部、１−４−１，２−４−１  エスケープ処理部、１−５、２−５  ＤＳＲＣ外部ＩＦ通信制御部、１０  ＤＳＲＣ連携データ、１１  ＥＴＣ連携データ、１１１  データ部、１１２  ヘッダ、１１３  フッタ、１１４  識別子。
【図１】
2010252235.tif 000003
【図２】
2010252235.tif 000004
【図３】
2010252235.tif 000005
【図４】
2010252235.tif 000006